【手続補正書】
【提出日】平成24年1月6日(2012.1.6)
【手続補正１】
【補正対象書類名】特許請求の範囲
【補正対象項目名】全文
【補正方法】変更
【補正の内容】
【特許請求の範囲】
【請求項１】
ランダムアクセスポイント（ＲＡＰ）を備えたマルチチャンネルオーディオを無損失可変ビットレート（ＶＢＲ）オーディオビットストリームに符号化する方法であって、
望ましいランダムアクセスポイント（ＲＡＰ）を指定する符号化タイミングコードをオーディオビットストリームに受信する段階と、
少なくとも１つのチャンネルセットを含むマルチチャンネルオーディオを各フレームがヘッダ及び複数のセグメントを含む等しい持続時間のフレームにブロック化する段階と、  各前記セグメントが１つ又はそれよりも多くの分析ブロックの持続時間を有する等しい持続時間の複数の分析ブロックに各フレームをブロック化する段階と、
望ましいＲＡＰを分析ブロックに整列させるために前記符号化タイミングコードをフレームのシーケンスに同期させる段階と、
を含み、
各連続フレームに対して、
前記符号化タイミングコードにおいて望ましいＲＡＰに整列する１つのＲＡＰ分析ブロックまで判断する段階と、
ＲＡＰセグメントの開始を固定し、それによって前記ＲＡＰ分析ブロックが該開始のＭ分析ブロック内に入る段階と、
前記チャンネルセットにおける各チャンネルに対して前記フレームのための予測パラメータの少なくとも１つのセットを判断する段階と、
前記予測パラメータに従って前記チャンネルセットにおける各チャンネルに対する前記オーディオフレームを圧縮し、予測が、残余オーディオサンプルによって先行される及び／又はその後に続くオリジナルオーディオサンプルを生成するために、前記ＲＡＰセグメントの前記開始に続く予測オーダーまで最初のサンプルに対して無効にされる段階と、
各セグメントが完全に及び無損失で復号可能であるべきであるという制約を受ける前記フレームの可変サイズ符号化ペイロードを低減し、前記フレーム持続時間よりも短い持続時間を有し、かつ前記フレームサイズよりも少ないバイトの最大数よりも少ない符号化セグメントペイロードを有するように、前記オリジナル及び残余オーディオサンプルから各セグメントに対するセグメント持続時間及びエントロピー符号化パラメータを判断する段階と、
セグメント持続時間、前記ＲＡＰの存在及びロケーションを指示するＲＡＰパラメータ、予測及びエントロピー符号化パラメータ、及びビットストリームナビゲーションデータを含むヘッダ情報を前記ビットストリームにおけるフレームヘッダ内に詰め込む段階と、  各セグメントに対する前記圧縮されたかつエントロピー符号化されたオーディオデータを前記ビットストリームにおけるフレームセグメント内に詰め込む段階と、
を含む、
ことを特徴とする方法。
【請求項２】
前記符号化タイミングコードは、ビデオ信号の特定の部分の開始に対応する望ましいＲＡＰを指定するビデオタイミングコードであることを特徴とする請求項１に記載の方法。
【請求項３】
前記オーディオビットストリームにおける前記ＲＡＰセグメントの前記開始のＭ分析ブロック内に前記ＲＡＰ分析ブロックを配置する段階が、前記望ましいＲＡＰの指定されたアラインメント許容範囲内の復号機能を保証することを特徴とする請求項１に記載の方法。
【請求項４】
Ｎフレーム毎の最初のセグメントが、望ましいＲＡＰが該フレーム内に入らない限りデフォルトＲＡＰセグメントであることを特徴とする請求項１に記載の方法。
【請求項５】
前記チャンネルセットの１つ又はそれよりも多くのチャンネルに対する前記フレームにおける分析ブロック内のトランジエントの存在を検出する段階と、
あらゆる検出されたトランジエントがそれらのそれぞれのチャンネルにおけるセグメントの最初のＬ分析ブロック内に位置するように前記フレームを仕切る段階と、
検出されたトランジエントの前のかつそれを含まないセグメントに対する予測パラメータの第１セット、及び前記チャンネルセットにおける各チャンネルに対する該トランジエントを含みかつその後のセグメントに対する予測パラメータの第２セットを判断する段階と、
ＲＡＰ分析ブロックが、前記ＲＡＰセグメントの前記開始のＭ分析ブロック内に入らなければならず、かつトランジエントが、対応するチャンネルのセグメントの最初のＬ分析ブロック内に入らなければならない前記セグメント持続時間を判断する段階と、
を更に含むことを特徴とする請求項１に記載の方法。
【請求項６】
前記ＲＡＰ分析ブロックが、前記ＲＡＰセグメントの前記開始のＭ分析ブロック内に入り、かつ前記トランジエントが、セグメントの最初のＬ分析ブロック内に入るように、該ＲＡＰ分析ブロックのロケーション及び／又はトランジエントのロケーションを使用して分析ブロック持続時間の２のべき乗として最大セグメント持続時間を判断する段階、
を更に含み、
前記分析ブロック持続時間の２のべき乗であり、かつ前記最大セグメント持続時間を超えない均一セグメント持続時間が、前記制約を受ける符号化フレームペイロードを低減するように判断される、
ことを特徴とする請求項５に記載の方法。
【請求項７】
前記ＲＡＰ分析ブロックが、前記ＲＡＰセグメントの前記開始のＭ分析ブロック内に入るように、該ＲＡＰ分析ブロックのロケーションを使用して分析ブロック持続時間の２のべき乗として最大セグメント持続時間を判断する段階、
を更に含み、
前記分析ブロック持続時間の２のべき乗であり、かつ前記最大セグメント持続時間を超えない均一セグメント持続時間が、前記制約を受ける符号化フレームペイロードを低減するように判断される、
ことを特徴とする請求項１に記載の方法。
【請求項８】
前記最大セグメント持続時間は、復号器において利用可能な出力バッファサイズによって更に制約されることを特徴とする請求項７に記載の方法。
【請求項９】
前記符号化セグメントペイロードに対するバイトの最大数が、前記オーディオビットストリームのアクセスユニットサイズ制約によって課せられることを特徴とする請求項１に記載の方法。
【請求項１０】
前記ＲＡＰパラメータは、ＲＡＰの存在を指示するＲＡＰフラグと該ＲＡＰのロケーションを指示するＲＡＰのＩＤとを含むことを特徴とする請求項１に記載の方法。
【請求項１１】
第１チャンネルセットが、５．１マルチチャンネルオーディオを含み、第２チャンネルセットが、少なくとも１つの付加的なオーディオチャンネルを含むことを特徴とする請求項１に記載の方法。
【請求項１２】
ベース、相関チャンネル、及び非相関チャンネルを含むトリプレットを形成するためにチャンネルの対に対して非相関チャンネルを生成する段階、ベース及び相関チャンネルを含む第１チャンネル対又はベース及び非相関チャンネルを含む第２チャンネル対のいずれかを選択する段階、及び該選択されたチャンネル対における該チャンネルをエントロピー符号化する段階を更に含むことを特徴とする請求項１に記載の方法。
【請求項１３】
前記チャンネル対は、
前記非相関チャンネルの分散が、閾値だけ前記相関チャンネルの分散よりも小さい場合に、セグメント持続時間を判断する前に前記第２チャンネル対を選択し、
そうでなければ、どのチャンネル対が前記符号化ペイロードに対して最も少ないビットに寄与するかに基づくセグメント持続時間の判断まで前記第１又は第２チャンネルの選択を延期する、
ことによって選択される、
ことを特徴とする請求項１２に記載の方法。
【請求項１４】
実行された時に請求項１に記載の方法を実施するコンピュータ実行可能命令、
を含むことを特徴とする、１つ又はそれよりも多くのコンピュータ可読媒体。
【請求項１５】
請求項１に記載の方法を実施するように構成されたデジタル回路、
を含むことを特徴とする、１つ又はそれよりも多くの半導体装置。
【請求項１６】
ランダムアクセスポイント（ＲＡＰ）で無損失可変ビットレート（ＶＢＲ）マルチチャンネルオーディオビットストリームの復号を開始する方法であって、
可変長フレームペイロードを有し、かつマルチチャンネルオーディオ信号に対する複数のオーディオチャンネルを含む少なくとも１つの独立に復号可能かつ無損失で再構成可能なチャンネルセットを含む複数のセグメントに仕切られたフレームのシーケンスとして無損失ＶＢＲマルチチャンネルオーディオビットストリームを受信し、各フレームが、セグメント持続時間、１つのＲＡＰセグメントまでの存在及びロケーションを指示するＲＡＰパラメータ、ナビゲーションデータ、各該チャンネルセットにおける各該チャンネルに対する予測係数を含むチャンネルセットヘッダ情報、及び少なくとも１つのエントロピーコードフラグ及び少なくとも１つのエントロピー符号化パラメータを含む各該チャンネルセットに対するセグメントヘッダ情報を含むヘッダ情報と、前記番号のセグメントに記憶されたエントロピー符号化圧縮マルチチャンネルオーディオ信号とを含む段階と、
前記ビットストリームにおける次のフレームのヘッダを取り出して、ＲＡＰセグメントを有するフレームが検出されるまで前記ＲＡＰパラメータを抽出する段階と、
前記選択されたフレームのヘッダを取り出して、前記セグメント持続時間及びナビゲーションデータを抽出し、前記ＲＡＰセグメントの開始にナビゲートする段階と、
前記少なくとも１つの前記チャンネルセットに対するヘッダを取り出して、前記エントロピーコードフラグ及び符号化パラメータ及び前記エントロピー符号化圧縮マルチチャンネルオーディオ信号を抽出し、かつ該選択されたエントロピーコード及び符号化パラメータを使用して前記ＲＡＰセグメントにエントロピー復号を実施して該ＲＡＰセグメントに対する圧縮オーディオ信号を生成し、予測オーダーまでの該ＲＡＰセグメントの前記第１オーディオサンプルが解凍されている段階と、
前記少なくとも１つの前記チャンネルセットのヘッダを取り出して予測係数を抽出し、かつ前記圧縮オーディオ信号を再構成し、予測が、前記ＲＡＰセグメントに対する該チャンネルセットにおける各オーディオチャンネルに対するＰＣＭオーディオを無損失で再構成するために前記予測オーダーまで前記第１オーディオサンプルに対して無効にされる段階と、
前記フレーム及びその後のフレームにおける前記セグメントの残余を順々に復号する段階と、
を含むことを特徴とする方法。
【請求項１７】
前記符号化タイミングコードにおいて指定された望ましいＲＡＰが、前記ビットストリームにおける前記ＲＡＰセグメントの前記開始のアラインメント許容範囲内に入ることを特徴とする請求項１６に記載の方法。
【請求項１８】
フレーム内の前記ＲＡＰセグメントのロケーションが、前記符号化器タイミングコードにおける前記望ましいＲＡＰのロケーションに基づいて前記ビットストリームを通して変化することを特徴とする請求項１７に記載の方法。
【請求項１９】
別のＲＡＰセグメントが次のフレームに出現した時に復号が開始された後で、前記予測は、無損失で前記ＰＣＭオーディオを再構成し続けるために前記予測オーダーまで最初のオーディオサンプルに対して無効にされることを特徴とする請求項１６に記載の方法。
【請求項２０】
前記セグメント持続時間は、望ましいＲＡＰが前記ＲＡＰセグメントの前記開始の指定された許容範囲内に整列するという制約を受ける前記フレームペイロードを低減し、各符号化セグメントペイロードは、前記フレームサイズよりも小さい最大ペイロードサイズよりも小さく、かつ前記セグメントが取り出された状態で完全に復号可能かつ無損失で再構成可能であることを特徴とする請求項１６に記載の方法。
【請求項２１】
セグメントの数及び持続時間は、前記符号化セグメントペイロードがバイトの最大数よりも小さく、無損失で再構成可能という制約を受ける各フレームの前記可変長ペイロードを最小にするために、フレーム毎に変化し、符号化タイミングコードにおいて指定された望ましいＲＡＰが、前記ＲＡＰセグメントの前記開始のアラインメント許容範囲内に入ることを特徴とする請求項１６に記載の方法。
【請求項２２】
各チャンネルにおけるトランジエントセグメントの存在及びロケーションを指示するトランジエントパラメータを含むヘッダ情報と、トランジエントが存在しない場合はフレームベースの予測係数の単一セット、及びトランジエントが各前記チャンネルセットに存在する場合はパーティションベースの予測係数の第１及び第２セットを含む各該チャンネルに対する予測係数とを含む各フレームを受信する段階と、
前記少なくとも１つの前記チャンネルセットに対するヘッダを取り出して前記トランジエントパラメータを抽出し、該チャンネルセットにおける各チャンネルでのトランジエントセグメントの存在及びロケーションを判断する段階と、
前記少なくとも１つの前記チャンネルセットに対するヘッダを取り出し、トランジエントの存在に応じて、各チャンネルに対するフレームベースの予測係数の単一セット又はパーティションベースの予測係数の第１及び第２セットを抽出する段階と、
前記チャンネルセットにおける各チャンネルに対して、ＰＣＭオーディオを無損失で再構成するために、前記フレームにおける全セグメントに対する前記圧縮オーディオ信号に前記予測係数の単一セットを適用するか、又は第１セグメントで始まる前記圧縮オーディオ信号に前記予測係数の第１セットを適用し、かつ前記トランジエントセグメントで始まる前記圧縮オーディオ信号に前記予測係数の第２セットを適用するかのいずれかを行う段階と、
を更に含むことを特徴とする請求項１６に記載の方法。
【請求項２３】
前記ビットストリームは、対方式チャンネル非相関フラグ、オリジナルチャンネルオーダー、及び量子化チャンネル非相関係数を含むチャンネルセットヘッダ情報を更に含み、前記再構成は、非相関ＰＣＭオーディオを生成し、
前記ヘッダを取り出して、前記オリジナルチャンネルオーダー、前記対方式チャンネル非相関フラグ、及び前記量子化チャンネル非相関係数を抽出し、かつ前記チャンネルセットにおける各オーディオチャンネルに対するＰＣＭオーディオを再構成するために逆クロスチャンネル非相関を実施する段階、
を更に含むことを特徴とする請求項１６に記載の方法。
【請求項２４】
前記対方式チャンネル非相関フラグは、ベース及び相関チャンネルを含む第１チャンネル対、又は該ベース、相関及び非相関チャンネルを含むトリプレットに対して該ベース及び非相関チャンネルを含む第２チャンネル対のいずれが符号化されているかを指示し、
前記フラグが第２チャンネル対を指示する場合に、前記ベースチャンネルを前記量子化チャンネル非相関係数によって乗算し、かつそれを前記非相関チャンネルに加えて前記相関チャンネルにおけるＰＣＭオーディオを生成する段階、
を更に含むことを特徴とする請求項２３に記載の方法。
【請求項２５】
実行された時に請求項１６に記載の方法を実施するコンピュータ実行可能命令、
を含むことを特徴とする、１つ又はそれよりも多くのコンピュータ可読媒体。
【請求項２６】
請求項１６に記載の方法を実施するように構成されたデジタル回路、
を含むことを特徴とする、１つ又はそれよりも多くの半導体装置。
【請求項２７】
マルチチャンネルオーディオを無損失可変ビットレート（ＶＢＲ）オーディオビットストリームに符号化する方法であって、
少なくとも１つのチャンネルセットを含むマルチチャンネルオーディオを、各フレームが、ヘッダ及び複数のセグメントを含み、各該セグメントが、１つ又はそれよりも多くの分析ブロックの持続時間を有する等しい持続時間のフレームにブロック化する段階、
を含み、
各連続フレームに対して、
前記チャンネルセットの各チャンネルに対して前記フレームでのトランジエント分析ブロックにおけるトランジエントの存在を検出する段階と、
あらゆるトランジエント分析ブロックがそれらの対応するチャンネルにおけるセグメントの最初のＬ分析ブロック内に位置するように前記フレームを仕切る段階と、
前記トランジエント分析ブロックの前のかつそれを含まないセグメントに対する予測パラメータの第１セットと、前記チャンネルセットにおける各チャンネルに対する前記トランジエント分析ブロックを含みかつそれに続くセグメントに対する予測パラメータの第２セットとを判断する段階と、
第１及び第２パーティションそれぞれに対して前記予測パラメータの第１及び第２セットを使用して前記オーディオデータを圧縮し、残余オーディオ信号を生成する段階と、
前記残余オーディオサンプルから各セグメントに対するセグメント持続時間及びエントロピー符号化パラメータを判断して、各セグメントが、完全かつ無損失で復号可能であり、フレーム持続時間よりも少ない持続時間を有し、かつフレームサイズよりも少ないバイトの最大数よりも少ない符号化セグメントペイロードを有するべきであるという制約を受ける前記フレームの可変サイズ符号化ペイロードを低減する段階と、
セグメント持続時間、前記トランジエントの存在及びロケーションを指示するトランジエントパラメータ、予測パラメータ、エントロピー符号化パラメータ、及びビットストリームナビゲーションデータを含むヘッダ情報を前記ビットストリームにおけるフレームヘッダに詰め込む段階と、
各セグメントに対する前記圧縮かつエントロピー符号化されたオーディオデータを前記ビットストリームにおける前記フレームセグメントに詰め込む段階と、
を含む、
ことを特徴とする方法。
【請求項２８】
前記チャンネルセットにおける各チャンネルに対して、
フレーム全体に対する予測パラメータの第３セットを判断する段階と、
フレーム全体に対して前記予測パラメータの第３セットを使用して前記オーディオデータを圧縮し、残余オーディオ信号を生成する段階と、
予測パラメータの第３セット又は第１及び第２セットのいずれかをそれらのそれぞれの残余オーディオ信号から符号化効率の尺度に基づいて選択する段階と、
を更に含み、
前記第３セットが選択された場合には、セグメントの開始のＬ分析ブロック内の前記トランジエントのロケーションに関するセグメント持続時間に対する前記制約を無効にする、
ことを特徴とする請求項２７に記載の方法。
【請求項２９】
望ましいランダムアクセスポイント（ＲＡＰ）を指定するタイミングコードを前記オーディオビットストリームに受信する段階と、
前記タイミングコードから前記フレーム内の１つのＲＡＰ分析ブロックまでを判断する段階と、
前記ＲＡＰ分析ブロックが前記開始のＭ分析ブロック内に入るようにＲＡＰセグメントの開始を固定する段階と、
前記フレームを仕切る時に前記ＲＡＰセグメントによって課せられるセグメント境界を考慮して、前記予測パラメータの第１及び第２セットを判断する段階と、
前記ＲＡＰセグメントの前記開始に続く予測オーダーまで第１サンプルに対する該予測を無効にし、前記予測パラメータの前記第１及び第２、及び第３セットに対して残余オーディオサンプルによって先行される及び／又はその後に続くオリジナルオーディオサンプルを生成する段階と、
ＲＡＰ分析ブロックが、前記ＲＡＰセグメントの前記開始のＭ分析ブロックと共にあり、及び／又はトランジエント分析ブロックが、セグメントの最初のＬ分析ブロック内に入るべきであるという制約を満足させながら、符号化フレームペイロードを低減する前記セグメント持続時間を判断する段階と、
前記ＲＡＰの存在及びロケーションを指示するＲＡＰパラメータ及びビットストリームナビゲーションデータを前記フレームヘッダに詰め込む段階と、
を更に含むことを特徴とする請求項２７に記載の方法。
【請求項３０】
前記トランジエント分析ブロックの検出されたロケーションを使用して、前記トランジエントがセグメントの最初のＬ分析ブロック内に入るように前記分析ブロック持続時間の２のべき乗として最大セグメント持続時間を判断する段階、
を更に含み、
前記分析ブロック持続時間の２のべき乗であり、かつ前記最大セグメント持続時間を超えない均一セグメント持続時間が、前記制約を受ける符号化フレームペイロードを低減するように判断される、
ことを特徴とする請求項２７に記載の方法。
【請求項３１】
前記最大セグメント持続時間は、復号器で利用可能な出力バッファサイズによって更に制約されることを特徴とする請求項３０に記載の方法。
【請求項３２】
前記符号化セグメントペイロードに対するバイトの最大数が、前記オーディオビットストリームのアクセスユニットサイズ制約によって課せられることを特徴とする請求項２７に記載の方法。
【請求項３３】
前記ビットストリームは、第１及び第２チャンネルセットを含み、
方法が、それぞれのチャンネルセットにおける少なくとも１つのチャンネルに対する様々なロケーションでのトランジエントの検出に基づいて、各チャンネルセットにおける各チャンネルに対する予測パラメータの第１及び第２セットを選択し、
前記セグメント持続時間は、各前記トランジエントが該トランジエントが発生するセグメントの最初のＬ分析ブロック内に入るように判断される、
ことを特徴とする請求項２７に記載の方法。
【請求項３４】
前記第１チャンネルセットは、５．１マルチチャンネルオーディオを含み、前記第２チャンネルセットは、少なくとも１つの付加的なオーディオチャンネルを含むことを特徴とする請求項３３に記載の方法。
【請求項３５】
前記トランジエントパラメータは、トランジエントの存在を指示するトランジエントフラグと、該トランジエントが発生するセグメント番号を指示するトランジエントＩＤとを含むことを特徴とする請求項２７に記載の方法。
【請求項３６】
チャンネルの対に対して非相関チャンネルを生成してベース、相関、及び非相関チャンネルを含むトリプレットを形成する段階、ベース及び相関チャンネルを含む第１チャンネル対、又はベース及び非相関チャンネルを含む第２チャンネル対のいずれかを選択する段階、及び該選択されたチャンネル対における該チャンネルをエントロピー符号化する段階を更に含むことを特徴とする請求項２７に記載の方法。
【請求項３７】
前記チャンネル対は、
前記非相関チャンネルの分散が、閾値だけ前記相関チャンネルの分散よりも小さい場合に、セグメント持続時間を判断する前に前記第２チャンネル対を選択し、
そうでなければ、どのチャンネル対が前記符号化ペイロードに対して最も少ないビットに寄与するかに基づくセグメント持続時間の判断まで前記第１又は第２チャンネルの選択を延期する、
ことによって選択される、
ことを特徴とする請求項３６に記載の方法。
【請求項３８】
実行された時に請求項２７に記載の方法を実施するコンピュータ実行可能命令、
を含むことを特徴とする、１つ又はそれよりも多くのコンピュータ可読媒体。
【請求項３９】
請求項２７に記載の方法を実施するように構成されたデジタル回路、
を含むことを特徴とする、１つ又はそれよりも多くの半導体装置。
【請求項４０】
無損失可変ビットレート（ＶＢＲ）マルチチャンネルオーディオビットストリームを復号する方法であって、
無損失ＶＢＲマルチチャンネルオーディオビットストリームを、可変長フレームペイロードを有し、かつマルチチャンネルオーディオ信号に対して複数のオーディオチャンネルを含む少なくとも１つの独立して復号可能でありかつ無損失で再構成可能なチャンネルセットを含む複数のセグメントに仕切られたフレームのシーケンスとして受信し、各フレームが、セグメント持続時間、各チャンネルにおけるトランジエントセグメントの存在及びロケーションを指示するトランジエントパラメータを含むチャンネルセットヘッダ情報、トランジエントが存在しない場合にフレームベースの予測係数の単一セット及びトランジエントが各該チャンネルセットに存在する場合にパーティションベースの予測係数の第１及び第２セットを含む各該チャンネルに対する予測係数、及び少なくとも１つのエントロピーコードフラグ及び少なくとも１つのエントロピー符号化パラメータを含む各該チャンネルセットに対するセグメントヘッダ情報を含むヘッダ情報と、前記番号のセグメントに記憶されたエントロピー符号化圧縮マルチチャンネルオーディオ信号とを含む段階と、
前記ヘッダを取り出して、前記セグメント持続時間を抽出する段階と、
前記少なくとも１つの前記チャンネルセットに対するヘッダを取り出して、各セグメントに対する前記エントロピーコードフラグ及び符号化パラメータ及び前記エントロピー符号化圧縮マルチチャンネルオーディオ信号を抽出し、かつ該選択されたエントロピーコード及び符号化パラメータを使用して各セグメントに対してエントロピー復号を実施し、各セグメントに対する圧縮オーディオ信号を生成する段階と、
前記少なくとも１つの前記チャンネルセットに対するヘッダを取り出し、前記トランジエントパラメータを抽出して該チャンネルセットにおける各チャンネルでのトランジエントセグメントの存在及びロケーションを判断する段階と、
前記少なくとも１つの前記チャンネルセットに対するヘッダを取り出し、トランジエントの存在に応じて、各チャンネルに対するフレームベースの予測係数の単一セット又はパーティションベースの予測係数の第１及び第２セットを抽出する段階と、
前記チャンネルセットにおける各チャンネルに対して、ＰＣＭオーディオを無損失で再構成するために、前記フレームにおける全セグメントに対する前記圧縮オーディオ信号に前記予測係数の単一セットを適用するか、又は第１セグメントで始まる前記圧縮オーディオ信号に前記予測係数の第１セットを適用し、かつ前記トランジエントセグメントで始まる前記圧縮オーディオ信号に前記予測係数の第２セットを適用するかのいずれかを行う段階と、
含むことを特徴とする方法。
【請求項４１】
前記ビットストリームは、対方式チャンネル非相関フラグ、オリジナルチャンネルオーダー、及び量子化チャンネル非相関係数を含むチャンネルセットヘッダ情報を更に含み、前記再構成は、非相関ＰＣＭオーディオを生成し、
前記ヘッダを取り出して、前記オリジナルチャンネルオーダー、前記対方式チャンネル非相関フラグ、及び前記量子化チャンネル非相関係数を抽出し、かつ前記チャンネルセットにおける各オーディオチャンネルに対するＰＣＭオーディオを再構成するために逆クロスチャンネル非相関を実施する段階、
を更に含むことを特徴とする請求項４０に記載の方法。
【請求項４２】
前記対方式チャンネル非相関フラグは、ベース及び相関チャンネルを含む第１チャンネル対、又は該ベース、相関及び非相関チャンネルを含むトリプレットに対して該ベース及び非相関チャンネルを含む第２チャンネル対のいずれが符号化されているかを指示し、
前記フラグが第２チャンネル対を指示する場合に、前記ベースチャンネルを前記量子化チャンネル非相関係数によって乗算し、かつそれを前記非相関チャンネルに加えて前記相関チャンネルにおけるＰＣＭオーディオを生成する段階、
を更に含むことを特徴とする請求項４１に記載の方法。
【請求項４３】
１つのＲＡＰセグメントまでの存在及びロケーションを指示するＲＡＰパラメータ及びナビゲーションデータを含むヘッダ情報を有するフレームを受信する段階と、
ＲＡＰセグメントを有するフレームが検出されるまでその次のフレームに飛んでＲＡＰでの復号を開始しようにとする場合に、前記ＲＡＰパラメータを抽出するために前記ビットストリームにおける該次のフレームのヘッダを取り出し、かつ該ＲＡＰセグメントの始まりにナビゲートするために前記ナビゲーションデータを使用する段階と、
ＲＡＰセグメントが出現した時に、前記ＰＣＭオーディオを無損失で再構成するために予測オーダーまで第１オーディオサンプルに対する予測を無効にする段階と、
を更に含むことを特徴とする請求項４０に記載の方法。
【請求項４４】
セグメントの数及び持続時間は、前記符号化セグメントペイロードが、フレームサイズよりも小さいバイトの最大数よりも小さく、かつ無損失で再構成可能であるという制約を受ける各フレームの可変長ペイロードを最小にするために、フレーム毎に変化することを特徴とする請求項４０に記載の方法。
【請求項４５】
実行された時に請求項４０に記載の方法を実施するコンピュータ実行可能命令、
を含むことを特徴とする、１つ又はそれよりも多くのコンピュータ可読媒体。
【請求項４６】
請求項４０に記載の方法を実施するように構成されたデジタル回路、
を含むことを特徴とする、１つ又はそれよりも多くの半導体装置。
【請求項４７】
ランダムアクセスポイント（ＲＡＰ）で無損失可変ビットレート（ＶＢＲ）マルチチャンネルオーディオビットストリームの復号を開始するためのマルチチャンネルオーディオ復号器であって、
可変長フレームペイロードを有し、かつマルチチャンネルオーディオ信号に対する複数のオーディオチャンネルを含む少なくとも１つの独立に復号可能かつ無損失で再構成可能なチャンネルセットを含む複数のセグメントに仕切られたフレームのシーケンスとして無損失ＶＢＲマルチチャンネルオーディオビットストリームを受信して、各フレームが、セグメント持続時間、１つのＲＡＰセグメントまでの存在及びロケーションを指示するＲＡＰパラメータ、ナビゲーションデータ、各該チャンネルセットにおける各該チャンネルに対する予測係数を含むチャンネルセットヘッダ情報、及び少なくとも１つのエントロピーコードフラグ及び少なくとも１つのエントロピー符号化パラメータを含む各該チャンネルセットに対するセグメントヘッダ情報を含むヘッダ情報と、前記番号のセグメントに記憶されたエントロピー符号化圧縮マルチチャンネルオーディオ信号とを含み、
前記ビットストリームにおける次のフレームのヘッダを取り出して、ＲＡＰセグメントを有するフレームが検出されるまで前記ＲＡＰパラメータを抽出し、
前記選択されたフレームのヘッダを取り出して、前記セグメント持続時間及びナビゲーションデータを抽出し、前記ＲＡＰセグメントの開始にナビゲートし、
前記少なくとも１つの前記チャンネルセットに対するヘッダを取り出して、前記エントロピーコードフラグ及び符号化パラメータ及び前記エントロピー符号化圧縮マルチチャンネルオーディオ信号を抽出し、かつ該選択されたエントロピーコード及び符号化パラメータを使用して前記ＲＡＰセグメントにエントロピー復号を実施して該ＲＡＰセグメントに対する圧縮オーディオ信号を生成し、予測オーダーまでの該ＲＡＰセグメントの前記第１オーディオサンプルが解凍されており、
前記少なくとも１つの前記チャンネルセットのヘッダを取り出して予測係数を抽出し、かつ前記圧縮オーディオ信号を再構成し、予測が、前記ＲＡＰセグメントに対する該チャンネルセットにおける各オーディオチャンネルに対するＰＣＭオーディオを無損失で再構成するために前記予測オーダーまで前記第１オーディオサンプルに対して無効にされ、かつ
前記フレーム及びその後のフレームにおける前記セグメントの残余を順々に復号する、  ように構成されていることを特徴とする復号器。
【請求項４８】
無損失可変ビットレート（ＶＢＲ）マルチチャンネルオーディオビットストリームを復号するためのマルチチャンネルオーディオ復号器であって、
無損失ＶＢＲマルチチャンネルオーディオビットストリームを、可変長フレームペイロードを有し、かつマルチチャンネルオーディオ信号に対して複数のオーディオチャンネルを含む少なくとも１つの独立して復号可能でありかつ無損失で再構成可能なチャンネルセットを含む複数のセグメントに仕切られたフレームのシーケンスとして受信して、各フレームが、セグメント持続時間、各チャンネルにおけるトランジエントセグメントの存在及びロケーションを指示するトランジエントパラメータを含むチャンネルセットヘッダ情報、トランジエントが存在しない場合にフレームベースの予測係数の単一セット及びトランジエントが各該チャンネルセットに存在する場合にパーティションベースの予測係数の第１及び第２セットを含む各該チャンネルに対する予測係数、及び少なくとも１つのエントロピーコードフラグ及び少なくとも１つのエントロピー符号化パラメータを含む各該チャンネルセットに対するセグメントヘッダ情報を含むヘッダ情報と、前記番号のセグメントに記憶されたエントロピー符号化圧縮マルチチャンネルオーディオ信号とを含み、
前記ヘッダを取り出して、前記セグメント持続時間を抽出し、
前記少なくとも１つの前記チャンネルセットに対するヘッダを取り出して、各セグメントに対する前記エントロピーコードフラグ及び符号化パラメータ及び前記エントロピー符号化圧縮マルチチャンネルオーディオ信号を抽出し、かつ該選択されたエントロピーコード及び符号化パラメータを使用して各セグメントに対してエントロピー復号を実施し、各セグメントに対する圧縮オーディオ信号を生成し、
前記少なくとも１つの前記チャンネルセットに対するヘッダを取り出し、前記トランジエントパラメータを抽出して該チャンネルセットにおける各チャンネルでのトランジエントセグメントの存在及びロケーションを判断し、
前記少なくとも１つの前記チャンネルセットに対するヘッダを取り出し、トランジエントの存在に応じて、各チャンネルに対するフレームベースの予測係数の単一セット又はパーティションベースの予測係数の第１及び第２セットを抽出し、かつ
前記チャンネルセットにおける各チャンネルに対して、ＰＣＭオーディオを無損失で再構成するために、前記フレームにおける全セグメントに対する前記圧縮オーディオ信号に前記予測係数の単一セットを適用するか、又は第１セグメントで始まる前記圧縮オーディオ信号に前記予測係数の第１セットを適用し、かつ前記トランジエントセグメントで始まる前記圧縮オーディオ信号に前記予測係数の第２セットを適用するかのいずれかを行う、  ように構成されていることを特徴とする復号器。